(57)【要約】  本発明は、デジタル無線通信装置において、受信状態の変化に応じて良好な受信品質が得られるようにチューニングすることを目的とする。  無線電波を受信する受信部５と、位置検出部４と受信部３をチューニングする制御部５ａを備え、制御部５ａは、受信部３の受信品質が低下すると、位置検出部４出力に基づいて受信部３の受信品質が低下する領域を判定すると共に、より受信品質を向上させるチューニング条件を学習し、学習したチューニング条件を、前記領域を次回通過する際に前記受信手段をチューニングするためのチューニング条件とする。【特許請求の範囲】
【請求項１】
デジタル無線通信装置であって、
無線電波を受信する受信手段と、
位置検出手段と、
前記受信手段をチューニングする制御手段とを備え、
前記制御手段は、
前記受信手段の受信品質が低下すると、前記位置検出手段の出力に基づいて前記受信手段の受信品質が低下する領域を判定すると共に、より受信品質を向上させるチューニング条件を学習し、学習したチューニング条件を、前記領域を次回通過する際に前記受信手段をチューニングするためのチューニング条件とすることを特徴とするデジタル無線通信装置。
【請求項２】
前記制御手段は、前記受信手段をチューニングする前記チューニング条件と前記受信手段の受信品質に関する履歴情報を記憶し、
前記受信手段の受信品質が低下すると、前記判定した前記領域を通過中、前記チューニング条件に基づいて前記受信手段をチューニングすると共に、前記チューニング条件に基づいて受信手段をチューニングしたことによる受信品質と、前記記領域を前回通過したときの受信品質とを前記履歴情報に基づいて比較し、前回通過したときの受信品質より受信品質が低下すると、前記受信手段の受信品質をより向上させる新たなチューニング条件を演算して、前記チューニング条件を前記新たなチューニング条件で更新することにより学習し、学習後のチューニング条件を前記領域を次回通過する際に前記受信手段をチューニングためのチューニング条件とすることを特徴とする請求項１に記載のデジタル無線通信装置。
【請求項３】
前記制御手段は、前記受信手段から出力されるビット誤り率に基づいて前記受信手段の受信品質を判定することを特徴とする請求項１又は２に記載のデジタル無線通信装置。
【請求項４】
前記位置検出手段は、ＧＰＳ受信機であることを特徴とする請求項１に記載のデジタル無線通信装置。
【請求項５】
前記制御手段は、前記受信手段の内部動作状態の情報と前記受信品質の情報を入力すると前記受信手段に対するチューニング条件を出力するテーブルを有し、前記テーブルの出力を前記受信手段の受信品質をより向上させる新たなチューニング条件とすることを特徴とする請求項１に記載のデジタル無線通信装置。
【請求項６】
前記制御手段は、前記受信手段をチューニングためのチューニング条件と、前記受信手段の受信品質に関する履歴情報と、前記受信手段の受信品質が低下した際に前記位置検出手段から出力される位置情報とを記憶する記憶手段を有することを特徴とする請求項１に記載のデジタル無線通信装置。
【請求項７】
前記制御手段は、前記受信手段をチューニングためのチューニング条件と、前記受信手段の受信品質に関する履歴情報と、前記受信手段の受信品質が低下した際に前記位置検出手段から出力される位置情報とを送信局側のサーバに記憶させ、前記受信手段の受信品質が低下すると、前記送信局側のサーバに記憶されている前記チューニング条件と履歴情報と位置情報をダウンロードすることを特徴とする請求項１に記載のデジタル無線通信装置。
【請求項８】
無線電波を受信する受信手段と、位置検出手段とを備えたデジタル無線通信装置における前記受信手段のチューニング方法であって、
前記受信手段の受信品質が低下すると、前記位置検出手段の出力に基づいて前記受信手段の受信品質が低下する領域を判定すると共に、より受信品質を向上させるチューニング条件を学習し、学習したチューニング条件を、前記領域を次回通過する際に前記受信手段をチューニングためのチューニング条件とすることを特徴とするチューニング方法。
【請求項９】
無線電波を受信する受信手段と、位置検出手段と、前記受信手段をチューニングするコンピュータを有する制御手段とを備えたデジタル無線通信装置における前記コンピュータを動作させるコンピュータプログラムであって、
前記受信手段の受信品質を前記コンピュータに検出させ、前記コンピュータが前記受信手段の受信品質の低下を検出すると、前記位置検出手段の出力に基づいて前記受信手段の受信品質が低下する領域を判定させると共に、より受信品質を向上させるチューニング条件を学習させ、学習したチューニング条件を、前記領域を次回通過する際に前記受信手段をチューニングためのチューニング条件とさせることを特徴とするコンピュータプログラム。
【請求項１０】
無線電波を受信する受信手段と、位置検出手段と、前記受信手段をチューニングするコンピュータを有する制御手段とを備えたデジタル無線通信装置における前記コンピュータを動作させるコンピュータプログラムを記憶するストレージ媒体であって、
前記受信手段の受信品質を前記コンピュータに検出させ、前記コンピュータが前記受信手段の受信品質の低下を検出すると、前記位置検出手段の出力に基づいて前記受信手段の受信品質が低下する領域を判定させると共に、より受信品質を向上させるチューニング条件を学習させ、学習したチューニング条件を、前記領域を次回通過する際に前記受信手段をチューニングためのチューニング条件とさせることを特徴とするコンピュータプログラムを記憶したストレージ媒体。
【発明の詳細な説明】
【技術分野】
【０００１】
本発明は、車両等の移動体とともに移動可能なデジタル無線通信装置に関し、特に、受信品質を良好とさせるべくチューニングを行うデジタル無線通信装置に関する。
【背景技術】
【０００２】
無線通信技術の分野では、携帯電話、テレビジョン放送、ラジオ放送等にみられるように、狭い周波数の範囲を効率的に利用した広帯域伝送を実現し、周波数の利用効率を上げることが可能なデジタル無線通信が主流となりつつあり、車両等の移動体に搭載されデジタルテレビ放送を受信する移動体用デジタル放送受信装置として、特開２００３−２７３７５９号公報に開示されたものがある。【０００３】
この移動体用デジタル放送受信装置は、その性質上、移動体の移動とともに受信エリアが変化することから、受信可能な放送チャンネルを探索するためのオートプリセット機能を備え、オートプリセットの際、放送局からサービス情報として提供される受信エリア毎の放送チャンネル情報に合わせて受信を行い、ビット誤り率（Bit Error Rate：ＢＥＲ）を測定して、その測定結果に基づいて受信可能な放送チャンネルを決定することとしている。【０００４】
【特許文献１】特開２００３−２７３７５９号公報
【発明の開示】
【発明が解決しようとする課題】
【０００５】
ところで、上記従来の移動体用デジタル放送受信装置は、受信エリアの変化に応じて、受信可能な放送チャンネルを探索するためのオートプリセット機能を備えたものであるが、受信可能な受信エリア内であっても、移動体の移動に伴って例えば受信中の放送電波が弱くなったり、マルチパスフェージングを生じる等の受信状態の変化が生じると、映像・音声出力装置によって報知される音声や映像の品質が低下する場合がある。【０００６】
そして、音声や映像の品質が低下すると、例えば、ユーザは音量やイコライザ特性の調整、映像の明るさやコントラスト等の調整を行う必要が生じ、煩雑なチューニング操作をしなければならない場合がある。【０００７】
本発明は、こうした事情に鑑みてなされたものあり、受信状態の変化に応じて、チューニングを自動的に最適化するデジタル無線通信装置を提供することを目的とする。
【課題を解決するための手段】
【０００８】
請求項１に記載のデジタル無線通信装置の発明は、無線電波を受信する受信手段と、位置検出手段と、前記受信手段をチューニングする制御手段とを備え、前記制御手段は、前記受信手段の受信品質が低下すると、前記位置検出手段の出力に基づいて前記受信手段の受信品質が低下する領域を判定すると共に、より受信品質を向上させるチューニング条件を学習し、学習したチューニング条件を、前記領域を次回通過する際に前記受信手段をチューニングするためのチューニング条件とすることを特徴とする。【０００９】
請求項２に記載の発明は、請求項１に記載のデジタル無線通信装置であって、前記制御手段は、前記受信手段をチューニングする前記チューニング条件と前記受信手段の受信品質に関する履歴情報を記憶し、前記受信手段の受信品質が低下すると、前記判定した前記領域を通過中、前記チューニング条件に基づいて前記受信手段をチューニングすると共に、前記チューニング条件に基づいて受信手段をチューニングしたことによる受信品質と、前記記領域を前回通過したときの受信品質とを前記履歴情報に基づいて比較し、前回通過したときの受信品質より受信品質が低下すると、前記受信手段の受信品質をより向上させる新たなチューニング条件を演算して、前記チューニング条件を前記新たなチューニング条件で更新することにより学習し、学習後のチューニング条件を前記領域を次回通過する際に前記受信手段をチューニングためのチューニング条件とすることを特徴とする。【００１０】
請求項８に記載の発明は、無線電波を受信する受信手段と、位置検出手段とを備えたデジタル無線通信装置における前記受信手段のチューニング方法であって、前記受信手段の受信品質が低下すると、前記位置検出手段の出力に基づいて前記受信手段の受信品質が低下する領域を判定すると共に、より受信品質を向上させるチューニング条件を学習し、学習したチューニング条件を、前記領域を次回通過する際に前記受信手段をチューニングするためのチューニング条件とすることを特徴とする。【００１１】
請求項９に記載の発明は、無線電波を受信する受信手段と、位置検出手段と、前記受信手段をチューニングするコンピュータを有する制御手段とを備えたデジタル無線通信装置における前記コンピュータを動作させるコンピュータプログラムであって、前記受信手段の受信品質を前記コンピュータに検出させ、前記コンピュータが前記受信手段の受信品質の低下を検出すると、前記位置検出手段の出力に基づいて前記受信手段の受信品質が低下する領域を判定させると共に、より受信品質を向上させるチューニング条件を学習させ、学習したチューニング条件を、前記領域を次回通過する際に前記受信手段をチューニングためのチューニング条件とさせることを特徴とする。【００１２】
請求項１０に記載の発明は、無線電波を受信する受信手段と、位置検出手段と、前記受信手段をチューニングするコンピュータを有する制御手段とを備えたデジタル無線通信装置における前記コンピュータを動作させるコンピュータプログラムを記憶するストレージ媒体であって、前記受信手段の受信品質を前記コンピュータに検出させ、前記コンピュータが前記受信手段の受信品質の低下を検出すると、前記位置検出手段の出力に基づいて前記受信手段の受信品質が低下する領域を判定させると共に、より受信品質を向上させるチューニング条件を学習させ、学習したチューニング条件を、前記領域を次回通過する際に前記受信手段をチューニングためのチューニング条件とさせることを特徴とする。
【図面の簡単な説明】
【００１３】
【図１】本発明の実施の形態に係るデジタル無線通信装置の構成を表したブロック図である。
【図２】図１に示したデジタル無線通信装置のチューニング制御機能を説明するための図である。
【図３】実施例に係るデジタル無線通信装置の構成を表したブロック図である。
【図４】図３に示したデジタル無線通信装置に備えられている記憶部の記憶内容を説明するための図である。
【図５】図３に示したデジタル無線通信装置の動作を説明するためのフローチャートである。
【発明を実施するための最良の形態】
【００１４】
本発明の実施の形態に係るデジタル無線通信装置を図１を参照して説明する。【００１５】
図１は、このデジタル無線通信装置の構成を表したブロック図である。【００１６】
同図において、このデジタル無線通信装置１は、ユーザが携帯可能、又は車両等の移動体に搭載されるデジタル無線通信装置であり、受信アンテナ２が接続された受信部３と、位置検出部４と、制御部５を備えて構成されている。【００１７】
受信部３は、ＲＦアンプ部、周波数変換部、デコーダ部等を有して構成されており、受信アンテナ２に生じる受信信号を局部発振周波数に基づいて周波数変換することによって、デジタルデータ列から成る中間周波数信号（ＩＦ信号）を生成し、更にデコーダ部で該中間周波数信号をデコードすることによって復調信号Ｄoutを生成して出力する。【００１８】
また、受信部３に設けられている上述のデコーダ部は、復調信号Ｄoutを生成する際、復調信号Ｄoutに基づいて受信感度、変調度、ビット誤り率（ＢＥＲ）等を測定し、測定したビット誤り率等を受信品質を示す測定データＤdetとして制御部５に供給するようになっている。【００１９】
位置検出部５は、デジタル無線通信装置１の現在位置を検出する位置検出センサを備え、検出した位置データＤposを制御部５に供給する。【００２０】
制御部５は、所定のアルゴリズムに従って作成されたコンピュータプログラムを実行することで演算及び制御機能を発揮するマイクロプロセッサ（ＭＰＵ）やデジタルシグナルプロセッサ（ＤＳＰ）等を備えた電子回路で形成されている。【００２１】
そして、制御部５は、位置検出部４からの位置データＤposに基づいてデジタル無線通信装置１の現在位置を認識し、測定データＤdetによって供給されるビット誤り率等に基づいて受信部３の受信品質の良否を判定する。また、受信部３に設けられている上述の周波数変換部に対して局部発振周波数を指定する他、測定データＤdetに基づいて受信品質が低下したと判定すると、受信部３の受信品質を向上させるべく、制御信号Ｄcntによって受信部３をチューニング制御する。【００２２】
次に、制御部５におけるチューニング制御機能を図２を参照して説明する。図２は、本デジタル無線通信装置１を搭載した移動体が移動している様子を示しており、位置Ｐs1，Ｐe1間の領域や位置Ｐs2，Ｐe2間の領域が、受信品質の低下する領域（以下「フィールド」という）Ｆ１，Ｆ２であるものとして示している。【００２３】
移動体と共に本デジタル無線通信装置１がフィールドＦ１を通過した場合、制御部５は、測定データＤdetに基づいて受信品質が低下したと判定すると、その判定時に位置検出部４から出力される位置検出データＤposに基づいて、フィールドＦ１への進入位置（例えば、位置Ｐs1）を認識し、移動体がフィールドＦ１を通過して、低下していた受信品質が良好な受信品質に戻ったと判定すると、その判定時に位置検出部４から出力される位置検出データＤposに基づいて、フィールドＦ１からの離脱位置（例えば、位置Ｐe1）を認識する。【００２４】
制御部５が、かかる処理を行うことで、受信部３の受信品質が低下するフィールドＦ１を判定する。【００２５】
次に、制御部５は、より受信品質を向上させるチューニング条件を学習し、学習したチューニング条件を、フィールドＦ１を次回通過する際に受信部３をチューニングためのチューニング条件として制御部５内の記憶部（図示略）に記憶する。【００２６】
そして、移動体がフィールドＦ１を再び通過する場合（２回目以降の通過の場合）、制御部５は、前回学習して記憶部に記憶しておいたチューニング条件に基づいて受信部３をチューニングし、更に、より受信品質を向上させるチューニング条件を学習して記憶部に記憶する。【００２７】
より詳細に述べると、制御部５は、受信部３をチューニングするためのチューニング条件と、受信部３から出力される測定データＤdetを受信品質に関する履歴情報として上述の記憶部に記憶させるようになっている。【００２８】
そして、移動体と共に本デジタル無線通信装置１がフィールドＦ１を通過した場合、受信部３の受信品質が低下すると、上述の判定したフールドＦ１を通過中、記憶部に記憶されているチューニング条件に基づいて受信部３をチューニングする。【００２９】
更に、チューニング条件に基づいて受信部３をチューニングしたことにより得られた受信品質と、前回フィールドＦ１を通過したときに受信部３をチューニングして得られた受信品質とを比較する。すなわち、上述の記憶部に記憶されている受信品質を示す履歴情報と、チューニング条件に基づいて受信部３をチューニングしたことにより得られた受信品質とを比較し、今回の方が受信品質が低下したと判断すると、受信部３の受信品質をより向上させる新たなチューニング条件を演算する。【００３０】
そして、チューニング条件を新たなチューニング条件で更新することで学習し、学習後のチューニング条件をフィールドＦ１を次回通過する際に受信部３をチューニングためのチューニング条件とし記憶部に記憶し、フィールドＦ１を次の回に通過すると、学習して記憶しておいたチューニング条件に基づいて受信部３をチューニングすると共に、更にチューニング条件を学習して記憶部に記憶するという処理を繰り返す。【００３１】
また、本デジタル無線通信装置１は、フールドＦ２等の他のフィールドを移動体が通過する場合にも、制御部５が、フールドＦ１を通過した場合と同様の処理を行うようになっている。【００３２】
本実施形態のデジタル無線通信装置１によれば、同じフィールドを通過すると、制御部５が、次回の通過の際に受信部３をチューニングするためのチューニング条件を、より良好な受信品質が得られるように更新していくことで学習を行うため、受信部３に対するチューニング条件を最適化することができる。【００３３】
更に、同じフィールドを通過する際、チューニング条件に基づいて受信部３をチューニングした結果、受信品質が良好となった場合には、チューニング条件を更新せず、受信品質が低下した場合に、チューニング条件を更新するという学習を行っている。このため、制御部５は、受信品質をより向上させるようにチューニング条件を学習して最適化していくこととなり、チューニング条件に基づいて受信部３をチューニングすると、受信品質を低下させることなく、より良好な受信品質が得られるようにチューニングすることができる。【００３４】
また、本デジタル無線通信装置１は、移動に際して受信品質の低下するフィールドを自ら探索して、受信品質を向上させるようにチューニング条件を最適化していくので、到来電波の実際の受信状態に対応させて、受信部３の受信品質が良好となるように極めて精度の高いチューニングを行うことができると共に、受信品質の低下するフィールドが狭い地域か広い地域かを問わず、夫々の地域に合わせて極めて精度の高いチューニングを行うことができる。【００３５】
また、本実施形態のデジタル無線通信装置１は、デジタルテレビ放送やデジタルラジオ放送の他、無線伝送路を介して送信されてくるインターネット情報その他のデジタル情報を受信して、良好な受信品質が得られるように受信部３をチューニングすることが可能である。更に、携帯電話等の移動体無線装置にも適用することが可能である。
【実施例】
【００３６】
次に、図３〜図５を参照して、デジタル無線通信装置のより具体的な実施例を説明する。図３は、本実施例のデジタル無線通信装置の構成を表したブロック図であり、図１と同一又は相当する部分を同一符号で示している。【００３７】
図３において、このデジタル無線通信装置１は、ユーザが携帯可能、又は車両等の移動体に搭載されるデジタル無線通信装置であり、図１に示したデジタル無線通信装置と同様に、到来電波を受信する受信アンテナ２が接続された受信部３と、位置検出部としてのＧＰＳ受信機４と、制御部５を備えて構成されている。【００３８】
受信部３は、受信アンテナ２に生じる受信信号Ｓinを入力し、復調信号Ｄoutを出力する。【００３９】
すなわち、受信部３は、受信信号Ｓinを増幅し不要な妨害波成分を除去して出力するＲＦアンプ部、ＲＦアンプ部の出力を局部発振周波数に基づいて周波数変換することにより中間周波数信号を生成する周波数変換部、該中間周波数信号を増幅するＩＦアンプ部、ＩＦアンプ部から出力される中間周波数信号をＡ／Ｄ変換することによりデジタルデータ列からなる中間周波数信号にして出力するＡ／Ｄ変換器、デジタルデータ列の中間周波数信号を誤り訂正及び復調処理することにより復調信号Ｄoutを生成して出力するデコーダ部等を備えて構成されている。【００４０】
そして、復調信号Ｄoutを、図示していないスピーカやディスプレイ等を駆動する駆動部に供給することで、到来電波によって送られてきた音声や映像等の情報をスピーカやディスプレイ等によって再生させ、ユーザに提供することが可能となっている。【００４１】
また、受信部３では、復調信号Ｄoutを生成する際、復調信号Ｄoutに基づいて、受信電界強度、変調度、ビット誤り率（ＢＥＲ）等を測定することによって受信部３の受信品質を測定し、これらの測定結果の少なくとも１つを測定データＤdetとして制御部５に供給するようになっている。【００４２】
ＧＰＳ受信機４は、ＧＰＳ（Global Positioning System）衛星から到来するＧＰＳ電波を受信アンテナ４ａで受信し、受信信号Ｓgpsに含まれる方位情報と時間情報等に基づいて、デジタル無線通信装置１の現在位置を検出し、検出した位置データＤposを制御部５に供給する。【００４３】
制御部５は、所定のアルゴリズムに従って作成されたコンピュータプログラムを実行することで演算及び制御機能を発揮するマイクロプロセッサ（ＭＰＵ）やデジタルシグナルプロセッサ（ＤＳＰ）等を備えた電子回路で形成されている。【００４４】
そして、制御部５は、ＧＰＳ受信機４から出力される位置データＤposに基づいてデジタル無線通信装置１の現在位置を認識する。また、測定データＤdetによって供給されるビット誤り率等を所定の判定基準（いわゆる閾値）と比較することによって、受信部３の受信品質の良否を判定する。また、受信部３に設けられている上述の周波数変換部に対して局部発振周波数を指定する。また、制御信号Ｄcntを受信部３に供給することにより、受信部３に設けられている上述のＲＦアンプ部、周波数変換部、ＩＦアンプ部、Ａ／Ｄ変換器、デコーダ部等をチューニング制御する。【００４５】
更に、制御部５には記憶部５ａが接続されている。ここで、詳細については後述するが、記憶部５ａには、図４（ａ）に示すように、受信部３に設けられている上述の各構成要素をチューニングするためのチューニング条件を示すチューニング制御データ等を記憶しておくためのいわゆる作業領域としての第１の記憶領域と、図４（ｂ）に示すように、受信部３に設けられている上述の各構成要素の内部動作状態の情報（ＲＦアンプ部のゲイン、ＩＦアンプ部のゲイン、局部発振周波数）と受信品質の情報（ビット誤り率等の情報）に対して、受信部３の受信品質を向上させるためのチューニング条件を示す情報が関連付けられたルックアップテーブル形式のテーブルが記憶された第２の記憶領域とを備えている。【００４６】
なお、記憶部５ａは、制御部５に固定して接続される必要はなく、制御部５に設けられているスロットに着脱可能に接続される半導体メモリでもよい。また、制御部５に設けられているＵＳＢ規格に準拠したコネクタを介してハードディスクドライブ、ＣＤプレーヤ、ＤＶＤプレーヤ等の記録再生装置を接続し、制御部５がこれらの記録再生装置に装填されるＨＤＤ、ＣＤ、ＤＶＤ等のストレージ媒体に上述のチューニング制御データ等を記憶させ、またテーブルを記憶しておいて利用する構成としてもよい。【００４７】
次に、かかる構成を有するデジタル無線通信装置１の動作を、図５のフローチャートを参照して説明する。なお、図２に示したように、デジタル無線通信装置１が車両等の移動体と共に移動する場合の動作を説明する。【００４８】
また、説明の便宜上、各フィールドＦ１，Ｆ２等を、フィールドＦｉ（ｉは任意の自然数）、各フィールドＦ１，Ｆ２等の境界の位置Ｐs11，Ｐe11やＰs21，Ｐe21を、位置Ｐsij，Ｐeij（ｊはフィールドＦｉを移動した回数を表す任意の自然数）として説明することとする。【００４９】
まず、デジタル無線通信装置１が動作を開始すると、制御部５が、ステップＳＴ１において測定データＤdetを逐一調べることによって、受信品質が低下したか判断し、受信品質が低下したと判断すると、ステップＳＴ２に移行する。【００５０】
ステップＳＴ２では、制御部５が、ＧＰＳ受信機４から出力される位置検出データＤposに基づいて、受信品質が低下したときの現在位置を認識し、該位置検出データＤposを記憶部５ａの第１の記憶領域に記憶する。図２に示したように、移動体がフィールドＦ１の進入位置Ｐs11に来た場合、制御部５は、進入位置Ｐs11を示す位置検出データＤposを第１の記憶領域に記憶する。【００５１】
次に、ステップＳＴ３において、制御部５が、記憶部５ａの第１の記憶領域を検索し、上述の進入位置Ｐs11と同じ又は所定の許容範囲内の位置を示す位置データが既に第１の記憶領域に記憶されているか調べ、記憶されていなければ、フィールドＦ１を初めて通過するものと判断し、記憶されていなければ、フィールドＦ１を２回以上通過するものと判断する。【００５２】
すなわち、制御部５は、図４（ａ）に示すように、初めて通過したフィールドＦｉ毎に、進入位置Ｐsijと離脱位置Ｐeij、チューニング条件を示すチューニング制御データ（Ａｉ）、受信品質を示す履歴データ（Ｂｉ）をファイルＦＬｉに格納して記憶部５ａの第１の記憶領域に記憶するようになっており、制御部５が、これらのファイルＦＬｉに格納されている位置Ｐsij又はＰeijを検索することによって、初め通過するフィールドか否かを判断する。【００５３】
次に、制御部５が、初めて通過すると判断してステップＳＴ４に移行すると、受信部３の各構成要素の内部動作状態を調べ、調べた内部動作状態を履歴データ（Ｂｉ）として記憶部５ａの第１の記憶領域に記憶する。すなわち、移動体がフィールドＦ１を通過する場合には、履歴データ（Ｂ１）を記憶する。【００５４】
次に、ステップＳＴ５において、制御部５が、受信部３の各構成要素の内部動作状態と受信品質に基づいて、記憶部５ａの第２の記憶領域に記憶されているテーブルを検索し、次回に同じフィールドを通過する際に受信部３の各構成要素をチューニングするためのチューニング制御データ（Ａｉ）を取得し、記憶部５ａの第１の記憶領域に記憶する。【００５５】
すなわち、制御部５は、記憶部５ａの第２の記憶領域に記憶されているテーブルをルックアップテーブルとして検索し、ルックアップテーブルから出力されるチューニング制御データ（Ａｉ）を取得することで、チューニング制御データ（Ａｉ）を演算するのと同様の処理を行うこととなる。【００５６】
次に、ステップＳＴ６において、制御部５が、低下していた受信品質が良好な受信品質に戻ったか測定データＤdetに基づいて判断し、良好な受信品質に戻ると、その時点でＧＰＳ受信機４から出力される位置検出データＤposに基づいて、移動体がフィールドから離脱した位置を認識する。つまり、例えば、図２に示したフィールドＦ１の離脱位置Ｐe11を認識することとなる。【００５７】
そして、記憶部５ａの第１の記憶領域に記憶しておいたチューニング制御データ（Ａｉ）と、履歴データ（Ｂｉ）と、進入位置Ｓsij及び離脱位置ＰeijのデータをファイルＦｉに格納して、記憶部５ａの第１の記憶領域に記憶する。【００５８】
つまり、移動体が、図２に示したフィールドＦ１を通過した場合には、図４（ａ）に示すように、位置Ｐs11，位置Ｐe11のデータと、チューニング制御データ（Ａ１）と、履歴データ（Ｂ１）を識別可能なファイルＦ１に格納して、記憶部５ａの第１の記憶領域に記憶することとなる。【００５９】
このように、移動体が初めてのフィールドを通過するときには、制御部５は、受信部３に対してチューニング制御を行わず、初めてのフィールドＦｉに対応するファイルＦＬｉを記憶部５ａの第１の記憶領域に記憶することで登録を行う。そして、再びステップＳＴ１からの処理を開始する。【００６０】
次に、制御部５が、上述のステップＳＴ１〜ＳＴ３の処理を行い、ステップＳＴ３において、移動体が以前に通過したことのあるフィールドを通過するものと判断すると、ステップＳＴ７へ移行する。【００６１】
ステップＳＴ７では、制御部５は、移動体が通過中のフィールドＦｉに対応するファイルＦＬｉからチューニング制御データ（Ａｉ）を取得し、該チューニング制御データ（Ａｉ）で示されるチューニング条件に従って受信部３の各構成要素をチューニングする。例えば、フィールドＦ１を通過中であれば、ファイルＦＬ１に格納されているチューニング制御データ（Ａ１）に基づいて受信部３の各構成要素をチューニングする。【００６２】
次に、ステップＳＴ８，ＳＴ９において、移動体が通過中のフィールドＦｉから離脱するまで、受信部３の各構成要素に対するチューニング条件を変更することなく維持する。【００６３】
つまり、ステップＳＴ９において、制御部５が、低下していた受信品質が良好な受信品質に戻ったか測定データＤdetに基づいて判断するまで、ステップＳＴ８において、受信部３の各構成要素に対するチューニング条件を変更することなく維持する。更に、測定データＤdetを記憶部５ａに記憶することで、受信部３の受信品質を記憶しておく。【００６４】
そして、ステップＳＴ９において、制御部５が、低下していた受信品質が良好な受信品質に戻ったと判断すると、その時点にＧＰＳ受信機４から出力される位置検出データＤposに基づいて離脱位置を認識し、ステップＳＴ１０に移行する。【００６５】
ステップＳＴ１０では、制御部５が、ステップＳＴ９において記憶部５ａに記憶しておいた測定データＤdet、すなわち受信部３の受信品質と、前回同じフィールドＦｉを通過したときに記憶部５ａの第１の記憶領域に記憶しておいた履歴データ（Ｂｉ）とを比較し、今回チューニングしたことによって得られた受信品質が、前回通過したときにチューニングしたことによって得られた受信品質より良好か否か判断する。【００６６】
すなわち、例えばフィールドＦ１を通過した場合、今回チューニングしたことによって得られた受信品質と、ファイルＦＬ１に格納されている履歴データ（Ｂｉ）を比較する。【００６７】
そして、今回チューニングしたことによって得られた受信品質が、前回通過したときにチューニングしたことによって得られた受信品質より良好であればステップＳＴ１１へ移行し、今回チューニングしたことによって得られた受信品質が、前回通過したときにチューニングしたことによって得られた受信品質より悪ければステップＳＴ１２へ移行する。【００６８】
ステップＳＴ１１では、制御部５が、上述のステップＳＴ８において維持したチューニング条件を示すチューニング制御データ（Ａｉ）をファイルＦＬｉに格納する。すなわち、今回チューニングしたことによって得られた受信品質が良好であった場合には、チューニング制御データ（Ａｉ）を更新しないようにする。例えばフィ−ルドＦ１を通過した場合には、今回チューニングしたことによって得られた受信品質が良好であった場合には、チューニング制御データ（Ａ１）を更新しないようにする。そして更に、位置Ｐs11，位置Ｐe11のデータと、今回チューニングしたことによって得られた受信品質を示す履歴データ（Ｂ１）をファイルＦ１に格納して、記憶部５ａの第１の記憶領域に記憶し、ステップＳＴ１からの処理を開始する。【００６９】
一方、ステップＳ１２に移行した場合には、制御部５が、記憶部５ａに記憶しておいた受信部３の各構成要素の内部動作状態と受信品質に基づいて、記憶部５ａの第２の記憶領域に記憶されているテーブルを検索し、次回に同じフィールドを通過する際に受信部３の各構成要素をチューニングするためのチューニング制御データ（Ａｉ）を取得し、ファイルＦＬｉに格納して記憶部５ａの第１の記憶領域に記憶する。そして更に、位置Ｐsij，Ｐeijのデータと、今回チューニングしたことによって得られた受信品質を示す履歴データ（Ｂｉ）をファイルＦＬｉに格納して、記憶部５ａの第１の記憶領域に記憶し、ステップＳＴ１からの処理を開始する。【００７０】
以上説明したように、本実施例のデジタル無線通信装置１によれば、同じフィールドを繰り返し通過すると、制御部５が、図５に示したステップＳＴ７〜ＳＴ１２の処理を行って、次回の通過の際に受信部３をチューニングするためのチューニング条件を示すチューニング制御データを、より良好な受信品質が得られるように更新していくことで学習を行うため、受信部３に対するチューニング条件を最適化することができる。【００７１】
更に、同じフィールドを通過する際、チューニング制御データに基づいて受信部３をチューニングした結果、受信品質が良好となった場合には、チューニング制御データを更新せず、受信品質が低下した場合に、チューニング制御データを更新するという学習を行っている。このため、制御部５は、受信品質をより向上させるようにチューニング制御データを学習して最適化していくこととなり、チューニング制御データに基づいて受信部３をチューニングすると、受信品質を低下させることなく、より良好な受信品質が得られるようにチューニングすることができる。【００７２】
また、本デジタル無線通信装置１は、移動に際して受信品質の低下するフィールドを自ら探索して、受信品質を向上させるようにチューニング制御データを最適化していくので、到来電波の実際の受信状態に対応させて、受信部３の受信品質が良好となるように極めて精度の高いチューニングを行うことができると共に、受信品質の低下するフィールドが狭い地域か広い地域かを問わず、夫々の地域に合わせて極めて精度の高いチューニングを行うことができる。【００７３】
また、本実施形態のデジタル無線通信装置１は、デジタルテレビ放送やデジタルラジオ放送の他、無線伝送路を介して送信されてくるインターネット情報その他のデジタル情報を受信して、良好な受信品質が得られるように受信部３をチューニングすることが可能である。更に、携帯電話等の移動体無線装置にも適用することが可能である。【００７４】
なお、以上の実施例の説明では、同じフィールドを２回以上通過する際に、制御部５がチューニング制御データを更新するための条件として、ビット誤り率等の測定データＤdetに基づいて今回の受信品質の良否を判断しているが、必ずしも復調信号Ｄoutの品質に基づいて判断する場合に限られるものではない。【００７５】
例えば、同じフィールドを通過する際に検出される位置Ｐsij，Ｐeij等の変化を履歴情報として記憶しておき、今回同じフィールドを通過する際に検出される進入位置と離脱位置の間の領域（すなわちフィールド）が上述の履歴情報とを対比して狭くなった場合に、良好な受信品質が得られたと判断し、チューニング制御データを更新するか否かの判断条件とするようにしてもよい。【００７６】
また、以上の説明では、制御部５に内蔵されている記憶部５ａに、ファイルを記憶する構成となっているが、放送局等の基地局側にデータベースサーバを備えておき、該データベースサーバにファイルを記憶させるようにしてもよい。【００７７】
すなわち、基地局側とインタラクティブに無線通信を行うための送信部をデジタル無線通信装置１に設け、該送信部を通じて上述のデータベースサーバにファイルを転送して記憶させ、同じフィールドを再び通過する際に、制御部５が受信品質が低下したことを判断すると、位置検出部４から出力される位置データＤposをデータベースサーバへ送信して、通過中のフィールドに対応するファイルを受信部３を介してダウンロードする。【００７８】
そして、そのダウンロードしたファイルに格納されているチューニング制御データに基づいて制御部５が受信部３をチューニングし、更に、上述の学習を行って更新したチューニング制御データをファイルに格納して上述の送信部を通じてデータベースサーバに返送して記憶させる。【００７９】
このように、基地局側に設けたデータベースサーバにファイルを記憶させると、制御部５の記憶部の記憶容量を大幅に低減化することができる等の効果が得られる。【００８０】
また、デジタル無線通信装置１を所有する複数のユーザ同士が、データベースサーバに記憶されたファイルを共有して利用するようにしてもよい。【００８１】
このようにデータベースサーバを共有化すると、夫々のユーザが所有するデジタル無線通信装置１が、互いにチューニング制御データを学習して最適化していくことができる。また、一人のユーザでは移動可能な地域が限られてしまうこととなるが、多数のユーザがデータベースサーバを共有することで、広範囲の地域において受信品質を向上させるためのチューニング制御データをデータベースサーバに集約し、各ユーザのデジタル無線通信装置１が利用することができ、優れた利便性を提供することができる。【００８２】
また、本実施例では、位置検出部としてＧＰＳ受信機５を用いているが、他の位置検出手段で構成してもよい。【００８３】
例えば、車両等の走行方向を検出する方位センサと移動距離を測定する測距センサを備え、各センサ出力を幾何学演算することで現在位置を検出するいわゆる自走式位置検出装置を備えるようにしてもよいし、複数の移動局アンテナから到来する複数の電波の到来方向と伝搬遅延時間を検出し、該検出結果を演算することで現在位置を検出する位置検出装置を備えるようにしてもよい。【００８４】
また、以上に説明した制御部５のチューニング制御機能を有するコンピュータプログラムをＣＤやＤＶＤ、半導体メモリ等のストレージ媒体に記憶させておき、制御部５に接続されたＣＤプレーヤや、ＤＶＤプレーヤ、スロット等に該ストレージ媒体を装填して、該コンピュータプログラムを制御部５にインストールさせることで、制御部５を構成しているマイクロプロセッサ（ＭＰＵ）に該コンピュータプログラムを実行させるようにしてもよい。
【図１】
2005096514.tif 000002
【図２】
2005096514.tif 000003
【図３】
2005096514.tif 000004
【図４】
2005096514.tif 000005
【図５】
2005096514.tif 000006
【手続補正書】
【提出日】平成18年7月27日(2006.7.27)
【手続補正１】
【補正対象書類名】特許請求の範囲
【補正対象項目名】全文
【補正方法】変更
【補正の内容】
【特許請求の範囲】
【請求項１】
デジタル無線通信装置であって、
無線電波を受信する受信手段と、
位置検出手段と、
前記受信手段をチューニングする制御手段とを備え、
前記制御手段は、
前記受信手段の受信品質が低下すると、前記位置検出手段の出力に基づいて前記受信手段の受信品質が低下する領域を判定すると共に、より受信品質を向上させるチューニング条件を学習し、学習したチューニング条件を、前記領域を次回通過する際に前記受信手段をチューニングするためのチューニング条件とすることを特徴とするデジタル無線通信装置。
【請求項２】
前記制御手段は、前記受信手段をチューニングする前記チューニング条件と前記受信手段の受信品質に関する履歴情報を記憶し、
前記受信手段の受信品質が低下すると、前記判定した前記領域を通過中、前記チューニング条件に基づいて前記受信手段をチューニングすると共に、前記チューニング条件に基づいて受信手段をチューニングしたことによる受信品質と、前記領域を前回通過したときの受信品質とを前記履歴情報に基づいて比較し、前回通過したときの受信品質より受信品質が低下すると、受信している放送チャンネルを代えることなく前記受信手段の受信品質をより向上させる新たなチューニング条件を演算して、前記チューニング条件を前記新たなチューニング条件で更新することにより学習し、学習後のチューニング条件を前記領域を次回通過する際に前記受信手段をチューニングするためのチューニング条件とすることを特徴とする請求項１に記載のデジタル無線通信装置。
【請求項３】
前記制御手段は、前記受信手段から出力されるビット誤り率に基づいて前記受信手段の受信品質を判定することを特徴とする請求項１又は２に記載のデジタル無線通信装置。
【請求項４】
前記位置検出手段は、ＧＰＳ受信機であることを特徴とする請求項１に記載のデジタル無線通信装置。
【請求項５】
前記制御手段は、前記受信手段の内部動作状態の情報と前記受信品質の情報を入力すると前記受信手段に対するチューニング条件を出力するテーブルを有し、前記テーブルの出力を前記受信手段の受信品質をより向上させる新たなチューニング条件とすることを特徴とする請求項１に記載のデジタル無線通信装置。
【請求項６】
前記制御手段は、前記受信手段をチューニングするためのチューニング条件と、前記受信手段の受信品質に関する履歴情報と、前記受信手段の受信品質が低下した際に前記位置検出手段から出力される位置情報とを記憶する記憶手段を有することを特徴とする請求項１に記載のデジタル無線通信装置。
【請求項７】
前記制御手段は、前記受信手段をチューニングするためのチューニング条件と、前記受信手段の受信品質に関する履歴情報と、前記受信手段の受信品質が低下した際に前記位置検出手段から出力される位置情報とを送信局側のサーバに記憶させ、前記受信手段の受信品質が低下すると、前記送信局側のサーバに記憶されている前記チューニング条件と履歴情報と位置情報をダウンロードすることを特徴とする請求項１に記載のデジタル無線通信装置。
【請求項８】
無線電波を受信する受信手段と、位置検出手段とを備えたデジタル無線通信装置における前記受信手段のチューニング方法であって、
前記受信手段の受信品質が低下すると、前記位置検出手段の出力に基づいて前記受信手段の受信品質が低下する領域を判定すると共に、受信している放送チャンネルを代えることなくより受信品質を向上させるチューニング条件を学習し、学習したチューニング条件を、前記領域を次回通過する際に前記受信手段をチューニングするためのチューニング条件とすることを特徴とするチューニング方法。
【請求項９】
無線電波を受信する受信手段と、位置検出手段と、前記受信手段をチューニングするコンピュータを有する制御手段とを備えたデジタル無線通信装置における前記コンピュータを動作させるコンピュータプログラムであって、
前記受信手段の受信品質を前記コンピュータに検出させ、前記コンピュータが前記受信手段の受信品質の低下を検出すると、前記位置検出手段の出力に基づいて前記受信手段の受信品質が低下する領域を判定させると共に、受信している放送チャンネルを代えることなくより受信品質を向上させるチューニング条件を学習させ、学習したチューニング条件を、前記領域を次回通過する際に前記受信手段をチューニングするためのチューニング条件とさせることを特徴とするコンピュータプログラム。
【請求項１０】
無線電波を受信する受信手段と、位置検出手段と、前記受信手段をチューニングするコンピュータを有する制御手段とを備えたデジタル無線通信装置における前記コンピュータを動作させるコンピュータプログラムを記憶するストレージ媒体であって、
前記受信手段の受信品質を前記コンピュータに検出させ、前記コンピュータが前記受信手段の受信品質の低下を検出すると、前記位置検出手段の出力に基づいて前記受信手段の受信品質が低下する領域を判定させると共に、受信している放送チャンネルを代えることなくより受信品質を向上させるチューニング条件を学習させ、学習したチューニング条件を、前記領域を次回通過する際に前記受信手段をチューニングするためのチューニング条件とさせることを特徴とするコンピュータプログラムを記憶したストレージ媒体。
【手続補正２】
【補正対象書類名】明細書
【補正対象項目名】全文
【補正方法】変更
【補正の内容】
【発明の詳細な説明】
【技術分野】
【０００１】
本発明は、車両等の移動体とともに移動可能なデジタル無線通信装置に関し、特に、受信品質を良好とさせるべくチューニングを行うデジタル無線通信装置に関する。
【背景技術】
【０００２】
無線通信技術の分野では、携帯電話、テレビジョン放送、ラジオ放送等にみられるように、狭い周波数の範囲を効率的に利用した広帯域伝送を実現し、周波数の利用効率を上げることが可能なデジタル無線通信が主流となりつつあり、車両等の移動体に搭載されデジタルテレビ放送を受信する移動体用デジタル放送受信装置として、特開２００３−２７３７５９号公報に開示されたものがある。
【０００３】
この移動体用デジタル放送受信装置は、その性質上、移動体の移動とともに受信エリアが変化することから、受信可能な放送チャンネルを探索するためのオートプリセット機能を備え、オートプリセットの際、放送局からサービス情報として提供される受信エリア毎の放送チャンネル情報に合わせて受信を行い、ビット誤り率（Bit Error Rate：ＢＥＲ）を測定して、その測定結果に基づいて受信可能な放送チャンネルを決定することとしている。
【０００４】
【特許文献１】特開２００３−２７３７５９号公報
【発明の開示】
【発明が解決しようとする課題】
【０００５】
ところで、上記従来の移動体用デジタル放送受信装置は、受信エリアの変化に応じて、受信可能な放送チャンネルを探索するためのオートプリセット機能を備えたものであるが、受信可能な受信エリア内であっても、移動体の移動に伴って例えば受信中の放送電波が弱くなったり、マルチパスフェージングを生じる等の受信状態の変化が生じると、映像・音声出力装置によって報知される音声や映像の品質が低下する場合がある。
【０００６】
そして、音声や映像の品質が低下すると、例えば、ユーザは音量やイコライザ特性の調整、映像の明るさやコントラスト等の調整を行う必要が生じ、煩雑なチューニング操作をしなければならない場合がある。
【０００７】
本発明は、こうした事情に鑑みてなされたものあり、受信状態の変化に応じて、チューニングを自動的に最適化するデジタル無線通信装置を提供することを目的とする。
【課題を解決するための手段】
【０００８】
請求項１に記載の発明は、無線電波を受信する受信手段と、位置検出手段と、前記受信手段をチューニングする制御手段とを備え、前記制御手段は、前記受信手段の受信品質が低下すると、前記位置検出手段の出力に基づいて前記受信手段の受信品質が低下する領域を判定すると共に、受信している放送チャンネルを代えることなくより受信品質を向上させるチューニング条件を学習し、学習したチューニング条件を、前記領域を次回通過する際に前記受信手段をチューニングするためのチューニング条件とすることを特徴とする。
【０００９】
請求項２に記載の発明は、請求項１に記載のデジタル無線通信装置であって、前記制御手段は、前記受信手段をチューニングする前記チューニング条件と前記受信手段の受信品質に関する履歴情報を記憶し、前記受信手段の受信品質が低下すると、前記判定した前記領域を通過中、前記チューニング条件に基づいて前記受信手段をチューニングすると共に、前記チューニング条件に基づいて受信手段をチューニングしたことによる受信品質と、前記領域を前回通過したときの受信品質とを前記履歴情報に基づいて比較し、前回通過したときの受信品質より受信品質が低下すると、前記受信手段の受信品質をより向上させる新たなチューニング条件を演算して、前記チューニング条件を前記新たなチューニング条件で更新することにより学習し、学習後のチューニング条件を前記領域を次回通過する際に前記受信手段をチューニングするためのチューニング条件とすることを特徴とする。
【００１０】
請求項８に記載の発明は、無線電波を受信する受信手段と、位置検出手段とを備えたデジタル無線通信装置における前記受信手段のチューニング方法であって、前記受信手段の受信品質が低下すると、前記位置検出手段の出力に基づいて前記受信手段の受信品質が低下する領域を判定すると共に、受信している放送チャンネルを代えることなくより受信品質を向上させるチューニング条件を学習し、学習したチューニング条件を、前記領域を次回通過する際に前記受信手段をチューニングするためのチューニング条件とすることを特徴とする。
【００１１】
請求項９に記載の発明は、無線電波を受信する受信手段と、位置検出手段と、前記受信手段をチューニングするコンピュータを有する制御手段とを備えたデジタル無線通信装置における前記コンピュータを動作させるコンピュータプログラムであって、前記受信手段の受信品質を前記コンピュータに検出させ、前記コンピュータが前記受信手段の受信品質の低下を検出すると、前記位置検出手段の出力に基づいて前記受信手段の受信品質が低下する領域を判定させると共に、受信している放送チャンネルを代えることなくより受信品質を向上させるチューニング条件を学習させ、学習したチューニング条件を、前記領域を次回通過する際に前記受信手段をチューニングするためのチューニング条件とさせることを特徴とする。
【００１２】
請求項１０に記載の発明は、無線電波を受信する受信手段と、位置検出手段と、前記受信手段をチューニングするコンピュータを有する制御手段とを備えたデジタル無線通信装置における前記コンピュータを動作させるコンピュータプログラムを記憶するストレージ媒体であって、前記受信手段の受信品質を前記コンピュータに検出させ、前記コンピュータが前記受信手段の受信品質の低下を検出すると、前記位置検出手段の出力に基づいて前記受信手段の受信品質が低下する領域を判定させると共に、受信している放送チャンネルを代えることなくより受信品質を向上させるチューニング条件を学習させ、学習したチューニング条件を、前記領域を次回通過する際に前記受信手段をチューニングするためのチューニング条件とさせることを特徴とする。
【発明を実施するための最良の形態】
【００１３】
本発明の実施の形態に係るデジタル無線通信装置を図１を参照して説明する。
【００１４】
図１は、このデジタル無線通信装置の構成を表したブロック図である。
【００１５】
同図において、このデジタル無線通信装置１は、ユーザが携帯可能、又は車両等の移動体に搭載されるデジタル無線通信装置であり、受信アンテナ２が接続された受信部３と、位置検出部４と、制御部５を備えて構成されている。
【００１６】
受信部３は、ＲＦアンプ部、周波数変換部、デコーダ部等を有して構成されており、受信アンテナ２に生じる受信信号を局部発振周波数に基づいて周波数変換することによって、デジタルデータ列から成る中間周波数信号（ＩＦ信号）を生成し、更にデコーダ部で該中間周波数信号をデコードすることによって復調信号Ｄoutを生成して出力する。
【００１７】
また、受信部３に設けられている上述のデコーダ部は、復調信号Ｄoutを生成する際、復調信号Ｄoutに基づいて受信感度、変調度、ビット誤り率（ＢＥＲ）等を測定し、測定したビット誤り率等を受信品質を示す測定データＤdetとして制御部５に供給するようになっている。
【００１８】
位置検出部５は、デジタル無線通信装置１の現在位置を検出する位置検出センサを備え、検出した位置データＤposを制御部５に供給する。
【００１９】
制御部５は、所定のアルゴリズムに従って作成されたコンピュータプログラムを実行することで演算及び制御機能を発揮するマイクロプロセッサ（ＭＰＵ）やデジタルシグナルプロセッサ（ＤＳＰ）等を備えた電子回路で形成されている。
【００２０】
そして、制御部５は、位置検出部４からの位置データＤposに基づいてデジタル無線通信装置１の現在位置を認識し、測定データＤdetによって供給されるビット誤り率等に基づいて受信部３の受信品質の良否を判定する。また、受信部３に設けられている上述の周波数変換部に対して局部発振周波数を指定する他、測定データＤdetに基づいて受信品質が低下したと判定すると、受信部３の受信品質を向上させるべく、制御信号Ｄcntによって受信部３をチューニング制御する。
【００２１】
次に、制御部５におけるチューニング制御機能を図２を参照して説明する。図２は、本デジタル無線通信装置１を搭載した移動体が移動している様子を示しており、位置Ｐs1，Ｐe1間の領域や位置Ｐs2，Ｐe2間の領域が、受信品質の低下する領域（以下「フィールド」という）Ｆ１，Ｆ２であるものとして示している。
【００２２】
移動体と共に本デジタル無線通信装置１がフィールドＦ１を通過した場合、制御部５は、測定データＤdetに基づいて受信品質が低下したと判定すると、その判定時に位置検出部４から出力される位置検出データＤposに基づいて、フィールドＦ１への進入位置（例えば、位置Ｐs1）を認識し、移動体がフィールドＦ１を通過して、低下していた受信品質が良好な受信品質に戻ったと判定すると、その判定時に位置検出部４から出力される位置検出データＤposに基づいて、フィールドＦ１からの離脱位置（例えば、位置Ｐe1）を認識する。
【００２３】
制御部５が、かかる処理を行うことで、受信部３の受信品質が低下するフィールドＦ１を判定する。
【００２４】
次に、制御部５は、受信している放送チャンネルを代えることなくより受信品質を向上させるチューニング条件を学習し、学習したチューニング条件を、フィールドＦ１を次回通過する際に受信部３をチューニングするためのチューニング条件として制御部５内の記憶部（図示略）に記憶する。
【００２５】
そして、移動体がフィールドＦ１を再び通過する場合（２回目以降の通過の場合）、制御部５は、前回学習して記憶部に記憶しておいたチューニング条件に基づいて受信部３をチューニングし、更に、より受信品質を向上させるチューニング条件を学習して記憶部に記憶する。
【００２６】
より詳細に述べると、制御部５は、受信部３をチューニングするためのチューニング条件と、受信部３から出力される測定データＤdetを受信品質に関する履歴情報として上述の記憶部に記憶させるようになっている。
【００２７】
そして、移動体と共に本デジタル無線通信装置１がフィールドＦ１を通過した場合、受信部３の受信品質が低下すると、上述の判定したフィールドＦ１を通過中、記憶部に記憶されているチューニング条件に基づいて受信部３をチューニングする。
【００２８】
更に、チューニング条件に基づいて受信部３をチューニングしたことにより得られた受信品質と、前回フィールドＦ１を通過したときに受信部３をチューニングして得られた受信品質とを比較する。すなわち、上述の記憶部に記憶されている受信品質を示す履歴情報と、チューニング条件に基づいて受信部３をチューニングしたことにより得られた受信品質とを比較し、今回の方が受信品質が低下したと判断すると、受信部３の受信品質をより向上させる新たなチューニング条件を演算する。
【００２９】
そして、チューニング条件を新たなチューニング条件で更新することで学習し、学習後のチューニング条件をフィールドＦ１を次回通過する際に受信部３をチューニングするためのチューニング条件とし記憶部に記憶し、フィールドＦ１を次の回に通過すると、学習して記憶しておいたチューニング条件に基づいて受信部３をチューニングすると共に、更にチューニング条件を学習して記憶部に記憶するという処理を繰り返す。
【００３０】
また、本デジタル無線通信装置１は、フィールドＦ２等の他のフィールドを移動体が通過する場合にも、制御部５が、フィールドＦ１を通過した場合と同様の処理を行うようになっている。
【００３１】
本実施形態のデジタル無線通信装置１によれば、同じフィールドを通過すると、制御部５が、次回の通過の際に受信部３をチューニングするためのチューニング条件を、より良好な受信品質が得られるように更新していくことで学習を行うため、受信部３に対するチューニング条件を最適化することができる。
【００３２】
更に、同じフィールドを通過する際、チューニング条件に基づいて受信部３をチューニングした結果、受信品質が良好となった場合には、チューニング条件を更新せず、受信品質が低下した場合に、チューニング条件を更新するという学習を行っている。このため、制御部５は、受信品質をより向上させるようにチューニング条件を学習して最適化していくこととなり、チューニング条件に基づいて受信部３をチューニングすると、受信品質を低下させることなく、より良好な受信品質が得られるようにチューニングすることができる。
【００３３】
また、本デジタル無線通信装置１は、移動に際して受信品質の低下するフィールドを自ら探索して、受信品質を向上させるようにチューニング条件を最適化していくので、到来電波の実際の受信状態に対応させて、受信部３の受信品質が良好となるように極めて精度の高いチューニングを行うことができると共に、受信品質の低下するフィールドが狭い地域か広い地域かを問わず、夫々の地域に合わせて極めて精度の高いチューニングを行うことができる。
【００３４】
また、本実施形態のデジタル無線通信装置１は、デジタルテレビ放送やデジタルラジオ放送の他、無線伝送路を介して送信されてくるインターネット情報その他のデジタル情報を受信して、良好な受信品質が得られるように受信部３をチューニングすることが可能である。更に、携帯電話等の移動体無線装置にも適用することが可能である。
【実施例】
【００３５】
次に、図３〜図５を参照して、デジタル無線通信装置のより具体的な実施例を説明する。図３は、本実施例のデジタル無線通信装置の構成を表したブロック図であり、図１と同一又は相当する部分を同一符号で示している。
【００３６】
図３において、このデジタル無線通信装置１は、ユーザが携帯可能、又は車両等の移動体に搭載されるデジタル無線通信装置であり、図１に示したデジタル無線通信装置と同様に、到来電波を受信する受信アンテナ２が接続された受信部３と、位置検出部としてのＧＰＳ受信機４と、制御部５を備えて構成されている。
【００３７】
受信部３は、受信アンテナ２に生じる受信信号Ｓinを入力し、復調信号Ｄoutを出力する。
【００３８】
すなわち、受信部３は、受信信号Ｓinを増幅し不要な妨害波成分を除去して出力するＲＦアンプ部、ＲＦアンプ部の出力を局部発振周波数に基づいて周波数変換することにより中間周波数信号を生成する周波数変換部、該中間周波数信号を増幅するＩＦアンプ部、ＩＦアンプ部から出力される中間周波数信号をＡ／Ｄ変換することによりデジタルデータ列からなる中間周波数信号にして出力するＡ／Ｄ変換器、デジタルデータ列の中間周波数信号を誤り訂正及び復調処理することにより復調信号Ｄoutを生成して出力するデコーダ部等を備えて構成されている。
【００３９】
そして、復調信号Ｄoutを、図示していないスピーカやディスプレイ等を駆動する駆動部に供給することで、到来電波によって送られてきた音声や映像等の情報をスピーカやディスプレイ等によって再生させ、ユーザに提供することが可能となっている。
【００４０】
また、受信部３では、復調信号Ｄoutを生成する際、復調信号Ｄoutに基づいて、受信電界強度、変調度、ビット誤り率（ＢＥＲ）等を測定することによって受信部３の受信品質を測定し、これらの測定結果の少なくとも１つを測定データＤdetとして制御部５に供給するようになっている。
【００４１】
ＧＰＳ受信機４は、ＧＰＳ（Global Positioning System）衛星から到来するＧＰＳ電波を受信アンテナ４ａで受信し、受信信号Ｓgpsに含まれる方位情報と時間情報等に基づいて、デジタル無線通信装置１の現在位置を検出し、検出した位置データＤposを制御部５に供給する。
【００４２】
制御部５は、所定のアルゴリズムに従って作成されたコンピュータプログラムを実行することで演算及び制御機能を発揮するマイクロプロセッサ（ＭＰＵ）やデジタルシグナルプロセッサ（ＤＳＰ）等を備えた電子回路で形成されている。
【００４３】
そして、制御部５は、ＧＰＳ受信機４から出力される位置データＤposに基づいてデジタル無線通信装置１の現在位置を認識する。また、測定データＤdetによって供給されるビット誤り率等を所定の判定基準（いわゆる閾値）と比較することによって、受信部３の受信品質の良否を判定する。また、受信部３に設けられている上述の周波数変換部に対して局部発振周波数を指定する。また、制御信号Ｄcntを受信部３に供給することにより、受信部３に設けられている上述のＲＦアンプ部、周波数変換部、ＩＦアンプ部、Ａ／Ｄ変換器、デコーダ部等をチューニング制御する。
【００４４】
更に、制御部５には記憶部５ａが接続されている。ここで、詳細については後述するが、記憶部５ａには、図４（ａ）に示すように、受信している放送チャンネルを代えることなく受信部３に設けられている上述の各構成要素をチューニングするためのチューニング条件を示すチューニング制御データ等を記憶しておくためのいわゆる作業領域としての第１の記憶領域と、図４（ｂ）に示すように、受信部３に設けられている上述の各構成要素の内部動作状態の情報（ＲＦアンプ部のゲイン、ＩＦアンプ部のゲイン、局部発振周波数）と受信品質の情報（ビット誤り率等の情報）に対して、受信している放送チャンネルを代えることなく受信部３の受信品質を向上させるためのチューニング条件を示す情報が関連付けられたルックアップテーブル形式のテーブルが記憶された第２の記憶領域とを備えている。
【００４５】
なお、記憶部５ａは、制御部５に固定して接続される必要はなく、制御部５に設けられているスロットに着脱可能に接続される半導体メモリでもよい。また、制御部５に設けられているＵＳＢ規格に準拠したコネクタを介してハードディスクドライブ、ＣＤプレーヤ、ＤＶＤプレーヤ等の記録再生装置を接続し、制御部５がこれらの記録再生装置に装填されるＨＤＤ、ＣＤ、ＤＶＤ等のストレージ媒体に上述のチューニング制御データ等を記憶させ、またテーブルを記憶しておいて利用する構成としてもよい。
【００４６】
次に、かかる構成を有するデジタル無線通信装置１の動作を、図５のフローチャートを参照して説明する。なお、図２に示したように、デジタル無線通信装置１が車両等の移動体と共に移動する場合の動作を説明する。
【００４７】
また、説明の便宜上、各フィールドＦ１，Ｆ２等を、フィールドＦｉ（ｉは任意の自然数）、各フィールドＦ１，Ｆ２等の境界の位置Ｐs11，Ｐe11やＰs21，Ｐe21を、位置Ｐsij，Ｐeij（ｊはフィールドＦｉを移動した回数を表す任意の自然数）として説明することとする。
【００４８】
まず、デジタル無線通信装置１が動作を開始すると、制御部５が、ステップＳＴ１において測定データＤdetを逐一調べることによって、受信品質が低下したか判断し、受信品質が低下したと判断すると、ステップＳＴ２に移行する。
【００４９】
ステップＳＴ２では、制御部５が、ＧＰＳ受信機４から出力される位置検出データＤposに基づいて、受信品質が低下したときの現在位置を認識し、該位置検出データＤposを記憶部５ａの第１の記憶領域に記憶する。図２に示したように、移動体がフィールドＦ１の進入位置Ｐs11に来た場合、制御部５は、進入位置Ｐs11を示す位置検出データＤposを第１の記憶領域に記憶する。
【００５０】
次に、ステップＳＴ３において、制御部５が、記憶部５ａの第１の記憶領域を検索し、上述の進入位置Ｐs11と同じ又は所定の許容範囲内の位置を示す位置データが既に第１の記憶領域に記憶されているか調べ、記憶されていなければ、フィールドＦ１を初めて通過するものと判断し、記憶されていれば、フィールドＦ１を２回以上通過するものと判断する。
【００５１】
すなわち、制御部５は、図４（ａ）に示すように、初めて通過したフィールドＦｉ毎に、進入位置Ｐsijと離脱位置Ｐeij、チューニング条件を示すチューニング制御データ（Ａｉ）、受信品質を示す履歴データ（Ｂｉ）をファイルＦＬｉに格納して記憶部５ａの第１の記憶領域に記憶するようになっており、制御部５が、これらのファイルＦＬｉに格納されている位置Ｐsij又はＰeijを検索することによって、初めて通過するフィールドか否かを判断する。
【００５２】
次に、制御部５が、初めて通過すると判断してステップＳＴ４に移行すると、受信部３の各構成要素の内部動作状態を調べ、調べた内部動作状態を履歴データ（Ｂｉ）として記憶部５ａの第１の記憶領域に記憶する。すなわち、移動体がフィールドＦ１を通過する場合には、履歴データ（Ｂ１）を記憶する。
【００５３】
次に、ステップＳＴ５において、制御部５が、受信部３の各構成要素の内部動作状態と受信品質に基づいて、記憶部５ａの第２の記憶領域に記憶されているテーブルを検索し、次回に同じフィールドを通過する際に受信部３の各構成要素をチューニングするためのチューニング制御データ（Ａｉ）を取得し、記憶部５ａの第１の記憶領域に記憶する。
【００５４】
すなわち、制御部５は、記憶部５ａの第２の記憶領域に記憶されているテーブルをルックアップテーブルとして検索し、ルックアップテーブルから出力されるチューニング制御データ（Ａｉ）を取得することで、チューニング制御データ（Ａｉ）を演算するのと同様の処理を行うこととなる。
【００５５】
次に、ステップＳＴ６において、制御部５が、低下していた受信品質が良好な受信品質に戻ったか測定データＤdetに基づいて判断し、良好な受信品質に戻ると、その時点でＧＰＳ受信機４から出力される位置検出データＤposに基づいて、移動体がフィールドから離脱した位置を認識する。つまり、例えば、図２に示したフィールドＦ１の離脱位置Ｐe11を認識することとなる。
【００５６】
そして、記憶部５ａの第１の記憶領域に記憶しておいたチューニング制御データ（Ａｉ）と、履歴データ（Ｂｉ）と、進入位置Ｓsij及び離脱位置ＰeijのデータをファイルＦＬｉに格納して、記憶部５ａの第１の記憶領域に記憶する。
【００５７】
つまり、移動体が、図２に示したフィールドＦ１を通過した場合には、図４（ａ）に示すように、位置Ｐs11，位置Ｐe11のデータと、チューニング制御データ（Ａ１）と、履歴データ（Ｂ１）を識別可能なファイルＦＬ１に格納して、記憶部５ａの第１の記憶領域に記憶することとなる。
【００５８】
このように、移動体が初めてのフィールドを通過するときには、制御部５は、受信部３に対してチューニング制御を行わず、初めてのフィールドＦｉに対応するファイルＦＬｉを記憶部５ａの第１の記憶領域に記憶することで登録を行う。そして、再びステップＳＴ１からの処理を開始する。
【００５９】
次に、制御部５が、上述のステップＳＴ１〜ＳＴ３の処理を行い、ステップＳＴ３において、移動体が以前に通過したことのあるフィールドを通過するものと判断すると、ステップＳＴ７へ移行する。
【００６０】
ステップＳＴ７では、制御部５は、移動体が通過中のフィールドＦｉに対応するファイルＦＬｉからチューニング制御データ（Ａｉ）を取得し、該チューニング制御データ（Ａｉ）で示されるチューニング条件に従って受信部３の各構成要素をチューニングする。例えば、フィールドＦ１を通過中であれば、ファイルＦＬ１に格納されているチューニング制御データ（Ａ１）に基づいて受信部３の各構成要素をチューニングする。
【００６１】
次に、ステップＳＴ８，ＳＴ９において、移動体が通過中のフィールドＦｉから離脱するまで、受信部３の各構成要素に対するチューニング条件を変更することなく維持する。
【００６２】
つまり、ステップＳＴ９において、制御部５が、低下していた受信品質が良好な受信品質に戻ったか測定データＤdetに基づいて判断するまで、ステップＳＴ８において、受信部３の各構成要素に対するチューニング条件を変更することなく維持する。更に、測定データＤdetを記憶部５ａに記憶することで、受信部３の受信品質を記憶しておく。
【００６３】
そして、ステップＳＴ９において、制御部５が、低下していた受信品質が良好な受信品質に戻ったと判断すると、その時点にＧＰＳ受信機４から出力される位置検出データＤposに基づいて離脱位置を認識し、ステップＳＴ１０に移行する。
【００６４】
ステップＳＴ１０では、制御部５が、ステップＳＴ９において記憶部５ａに記憶しておいた測定データＤdet、すなわち受信部３の受信品質と、前回同じフィールドＦｉを通過したときに記憶部５ａの第１の記憶領域に記憶しておいた履歴データ（Ｂｉ）とを比較し、今回チューニングしたことによって得られた受信品質が、前回通過したときにチューニングしたことによって得られた受信品質より良好か否か判断する。
【００６５】
すなわち、例えばフィールドＦ１を通過した場合、今回チューニングしたことによって得られた受信品質と、ファイルＦＬ１に格納されている履歴データ（Ｂ１）を比較する。
【００６６】
そして、今回チューニングしたことによって得られた受信品質が、前回通過したときにチューニングしたことによって得られた受信品質より良好であればステップＳＴ１１へ移行し、今回チューニングしたことによって得られた受信品質が、前回通過したときにチューニングしたことによって得られた受信品質より悪ければステップＳＴ１２へ移行する。
【００６７】
ステップＳＴ１１では、制御部５が、上述のステップＳＴ８において維持したチューニング条件を示すチューニング制御データ（Ａｉ）をファイルＦＬｉに格納する。すなわち、今回チューニングしたことによって得られた受信品質が良好であった場合には、チューニング制御データ（Ａｉ）を更新しないようにする。例えばフィ−ルドＦ１を通過した場合には、今回チューニングしたことによって得られた受信品質が良好であった場合には、チューニング制御データ（Ａ１）を更新しないようにする。そして更に、位置Ｐs11，位置Ｐe11のデータと、今回チューニングしたことによって得られた受信品質を示す履歴データ（Ｂ１）をファイルＦＬ１に格納して、記憶部５ａの第１の記憶領域に記憶し、ステップＳＴ１からの処理を開始する。
【００６８】
一方、ステップＳ１２に移行した場合には、制御部５が、記憶部５ａに記憶しておいた受信部３の各構成要素の内部動作状態と受信品質に基づいて、記憶部５ａの第２の記憶領域に記憶されているテーブルを検索し、次回に同じフィールドを通過する際に受信部３の各構成要素をチューニングするためのチューニング制御データ（Ａｉ）を取得し、ファイルＦＬｉに格納して記憶部５ａの第１の記憶領域に記憶する。そして更に、位置Ｐsij，Ｐeijのデータと、今回チューニングしたことによって得られた受信品質を示す履歴データ（Ｂｉ）をファイルＦＬｉに格納して、記憶部５ａの第１の記憶領域に記憶し、ステップＳＴ１からの処理を開始する。
【００６９】
以上説明したように、本実施例のデジタル無線通信装置１によれば、同じフィールドを繰り返し通過すると、制御部５が、図５に示したステップＳＴ７〜ＳＴ１２の処理を行って、次回の通過の際に受信部３をチューニングするためのチューニング条件を示すチューニング制御データを、より良好な受信品質が得られるように更新していくことで学習を行うため、受信部３に対するチューニング条件を最適化することができる。
【００７０】
更に、同じフィールドを通過する際、チューニング制御データに基づいて受信部３をチューニングした結果、受信品質が良好となった場合には、チューニング制御データを更新せず、受信品質が低下した場合に、チューニング制御データを更新するという学習を行っている。このため、制御部５は、受信品質をより向上させるようにチューニング制御データを学習して最適化していくこととなり、チューニング制御データに基づいて受信部３をチューニングすると、受信品質を低下させることなく、より良好な受信品質が得られるようにチューニングすることができる。
【００７１】
また、本デジタル無線通信装置１は、移動に際して受信品質の低下するフィールドを自ら探索して、受信品質を向上させるようにチューニング制御データを最適化していくので、到来電波の実際の受信状態に対応させて、受信部３の受信品質が良好となるように極めて精度の高いチューニングを行うことができると共に、受信品質の低下するフィールドが狭い地域か広い地域かを問わず、夫々の地域に合わせて極めて精度の高いチューニングを行うことができる。
【００７２】
また、本実施形態のデジタル無線通信装置１は、デジタルテレビ放送やデジタルラジオ放送の他、無線伝送路を介して送信されてくるインターネット情報その他のデジタル情報を受信して、良好な受信品質が得られるように受信部３をチューニングすることが可能である。更に、携帯電話等の移動体無線装置にも適用することが可能である。
【００７３】
なお、以上の実施例の説明では、同じフィールドを２回以上通過する際に、制御部５がチューニング制御データを更新するための条件として、ビット誤り率等の測定データＤdetに基づいて今回の受信品質の良否を判断しているが、必ずしも復調信号Ｄoutの品質に基づいて判断する場合に限られるものではない。
【００７４】
例えば、同じフィールドを通過する際に検出される位置Ｐsij，Ｐeij等の変化を履歴情報として記憶しておき、今回同じフィールドを通過する際に検出される進入位置と離脱位置の間の領域（すなわちフィールド）が上述の履歴情報とを対比して狭くなった場合に、良好な受信品質が得られたと判断し、チューニング制御データを更新するか否かの判断条件とするようにしてもよい。
【００７５】
また、以上の説明では、制御部５に内蔵されている記憶部５ａに、ファイルを記憶する構成となっているが、放送局等の基地局側にデータベースサーバを備えておき、該データベースサーバにファイルを記憶させるようにしてもよい。
【００７６】
すなわち、基地局側とインタラクティブに無線通信を行うための送信部をデジタル無線通信装置１に設け、該送信部を通じて上述のデータベースサーバにファイルを転送して記憶させ、同じフィールドを再び通過する際に、制御部５が受信品質が低下したことを判断すると、位置検出部４から出力される位置データＤposをデータベースサーバへ送信して、通過中のフィールドに対応するファイルを受信部３を介してダウンロードする。
【００７７】
そして、そのダウンロードしたファイルに格納されているチューニング制御データに基づいて制御部５が受信部３をチューニングし、更に、上述の学習を行って更新したチューニング制御データをファイルに格納して上述の送信部を通じてデータベースサーバに返送して記憶させる。
【００７８】
このように、基地局側に設けたデータベースサーバにファイルを記憶させると、制御部５の記憶部の記憶容量を大幅に低減化することができる等の効果が得られる。
【００７９】
また、デジタル無線通信装置１を所有する複数のユーザ同士が、データベースサーバに記憶されたファイルを共有して利用するようにしてもよい。
【００８０】
このようにデータベースサーバを共有化すると、夫々のユーザが所有するデジタル無線通信装置１が、互いにチューニング制御データを学習して最適化していくことができる。また、一人のユーザでは移動可能な地域が限られてしまうこととなるが、多数のユーザがデータベースサーバを共有することで、広範囲の地域において受信品質を向上させるためのチューニング制御データをデータベースサーバに集約し、各ユーザのデジタル無線通信装置１が利用することができ、優れた利便性を提供することができる。
【００８１】
また、本実施例では、位置検出部としてＧＰＳ受信機４を用いているが、他の位置検出手段で構成してもよい。
【００８２】
例えば、車両等の走行方向を検出する方位センサと移動距離を測定する測距センサを備え、各センサ出力を幾何学演算することで現在位置を検出するいわゆる自走式位置検出装置を備えるようにしてもよいし、複数の移動局アンテナから到来する複数の電波の到来方向と伝搬遅延時間を検出し、該検出結果を演算することで現在位置を検出する位置検出装置を備えるようにしてもよい。
【００８３】
また、以上に説明した制御部５のチューニング制御機能を有するコンピュータプログラムをＣＤやＤＶＤ、半導体メモリ等のストレージ媒体に記憶させておき、制御部５に接続されたＣＤプレーヤや、ＤＶＤプレーヤ、スロット等に該ストレージ媒体を装填して、該コンピュータプログラムを制御部５にインストールさせることで、制御部５を構成しているマイクロプロセッサ（ＭＰＵ）に該コンピュータプログラムを実行させるようにしてもよい。
【図面の簡単な説明】
【００８４】
【図１】本発明の実施の形態に係るデジタル無線通信装置の構成を表したブロック図である。
【図２】図１に示したデジタル無線通信装置のチューニング制御機能を説明するための図である。
【図３】実施例に係るデジタル無線通信装置の構成を表したブロック図である。
【図４】図３に示したデジタル無線通信装置に備えられている記憶部の記憶内容を説明するための図である。
【図５】図３に示したデジタル無線通信装置の動作を説明するためのフローチャートである。
【符号の説明】
【００８５】
１…デジタル無線通信装置
３…受信部
４…位置検出部
５…制御部
５ａ…記憶部
【手続補正３】
【補正対象書類名】図面
【補正対象項目名】図４
【補正方法】変更
【補正の内容】
【図４】
2005096514.tif 000007
【国際調査報告】
2005096514.tif 000008
2005096514.tif 000009
2005096514.tif 000010
2005096514.tif 000011